(57)【要約】      （修正有）【課題】歩行中にスリッパが脱げることなく、また、スリッパがバタつくことなく、早く歩行することができるスリッパであって、外観上普通の靴を履いた場合のように見え、また、地震や火災からの避難の際に素早く行動することができるスリッパを提供する。【解決手段】スリッパ本体１１と、前記スリッパ本体１１の前部上面に取り付ける甲被１２と、前記甲被１２の後端部１２ａおよび前記スリッパ１０の後部周縁１１ａとにわたり環状に固定され、前記スリッパ１０の前方かつ前記甲被１２の内方に向けて収納される略筒状の足先保持部１３とを備え、前記足先保持部１３は前記スリッパ１０の外方に向けて折返しができるように構成した。【選択図】図３
0003177954.tif 000002
【実用新案登録請求の範囲】
【請求項１】
スリッパ本体と、前記スリッパ本体の前部上面に取り付ける甲被と、前記甲被の後端部および前記スリッパの後部周縁とにわたり環状に固定され、前記スリッパの前方かつ甲被の内方に向けて収納される略筒状の足先保持部とを備え、
前記足先保持部は前記スリッパの外方に向けて折返し可能に形成されてなることを特徴とするスリッパ。
【考案の詳細な説明】
【技術分野】
【０００１】
本考案は、スリッパに足先へのフィット性を高める足先保持部を備えるスリッパに関する。
【背景技術】
【０００２】
一般的に、スリッパは、スリッパ本体と前記スリッパ本体の前方上部に甲被が設けられて構成されており、前記スリッパ本体と前記甲被との間に足先を挿入するように履いている。しかしながら、このような使用状態では、前記スリッパを足先に引っ掛けて履いている状態なので、歩行する場合に踵がバタつき、歩行中に脱げやすく、また早く歩行するのが困難である。
【０００３】
従来、このような問題を解決すべく、例えば、実開平０６−５７２０１号（特許文献１）に記載のように、スリッパに靴下を固定するものが公知である。前記公報に記載の考案は、歩行中にスリッパの踏面の踵側がバタつくのを防止して、早く歩けるようにするために、スリッパの踏面に面フアスナの凸面片を取付け、つまかけの表面へ面フアスナの凹面片を取付け、一方これとは別に、スリッパを使用する人の靴下の踏面側へ、面フアスナの凹面片を取付けることにより、スリッパを履く際に、踵をおろせば、面フアスナの凹面片が面フアスナの凸面片に重なり、スリッパの踏面の踵部分がバタつかなくなるように構成している。
【先行技術文献】
【特許文献】
【０００４】
【特許文献１】実開平０６−５７２０１号  第１頁  図１
【考案の概要】
【考案が解決しようとする課題】
【０００５】
しかしながら、前記スリッパは、スリッパの踏面に面フアスナを取付け、靴下の踏面側に取り付けた面ファスナとを着脱自在に貼着しているため、一定以上の引っ張り力をかけると剥離するし、また、靴下にも面ファスナを取り付けなくてはならず、構成が複雑である。
【０００６】
他方、旅館、ホテルや病院、その他の施設等において、スリッパを使用することが多いが、万が一の場合（地震、火事等の緊急事態の場合）に、早急に避難することが求められる場合がある。そのような場合に、履いたまま外部に素早く避難できる機能を備えるスリッパがあれば便利である。さらに、一旦外部に避難したものの、災害の被害状況によっては、構内に戻れないような場合に、外観上も普通の靴を履いたように見えるスリッパがあればさらに便利である。
【０００７】
本考案は、かかる事情に鑑みてなされたものであって、歩行中にスリッパが脱げることなく、また、スリッパがバタつくことなく、早く歩行することができるスリッパであって、構造が簡単で、かつ安価に製造することができると共に、地震や火災等の災害時にスリッパを履いたまま外に飛び出した場合であっても、外観上普通の靴を履いた場合のように見え、また、避難の際に素早く行動することができるスリッパを提供することを目的とする。
【課題を解決するための手段】
【０００８】
請求項１に記載のスリッパは、スリッパ本体と、前記スリッパ本体の前部上面に取り付ける甲被と、前記甲被の後端部および前記スリッパの後部周縁とにわたり環状に固定され、前記スリッパの前方かつ甲被の内方に向けて収納される略筒状の足先保持部とを備え、前記足先保持部は前記スリッパの外方に向けて折返し可能に形成されてなることを特徴とする。
【０００９】
請求項１に記載のスリッパにあっては、通常時においては、前記足先保持部は前記スリッパの前方かつ甲被の内方に向けて収納されているため、スリッパを履いた状態においては、足先は前記足先保持部により保持されているので、歩行中にスリッパが脱げることなく、また、スリッパがバタつくことなく、早く歩行することができると共に、構造が簡単で、かつ安価に製造することができる。また、災害等の非常時の場合には、前記足先保持部を前記収納状態から折り返して、前記足先保持部を靴下を履く要領で足に装着できるので、前記スリッパを前記足先保持部を介して足に確実に装着でき、避難行動を迅速に行うことができると共に、前記足先保持部によって、外観上、いかにも靴下を装着して普通の靴を履いた場合のように見えるので、非常時においても体裁の良いものとなる。
【考案の効果】
【００１０】
請求項１に記載のスリッパによれば、スリッパ本体と、前記スリッパ本体の前部上面に取り付ける甲被と、前記甲被の後端部および前記スリッパの後部周縁とにわたり環状に固定され、前記スリッパの前方かつ甲被の内方に向けて収納される略筒状の足先保持部とを備え、前記足先保持部は前記スリッパの外方に向けて折返し可能に形成されており、簡単な構成からなるので、安価に製造することができ、通常時においては、歩行する場合に足先がスリッパに保持されるので、歩行中に脱げることなく、また早く歩行することができる。また、災害等の非常時の場合には、前記足先保持部を前記収納状態から外方に折り返して、前記足先保持部を靴下を履く要領で足に装着できるので、前記スリッパを前記足先保持部を介して足に確実に装着でき、避難行動を迅速に行うことができると共に、前記足先保持部によって、外観上、いかにも靴下を装着して普通の靴を履いた場合のように見えるので、非常時においても体裁の良いものとなる。
【図面の簡単な説明】
【００１１】
【図１】本考案に係るスリッパの斜視図である。
【図２】スリッパの使用状態を示す斜視図である。
【図３】スリッパの使用状態を示す要部断面図である。
【図４】スリッパの足先保持部を外方に折り返した状態を示す斜視図である。
【図５】スリッパの足先保持部を外方に折り返して足に装着した状態を示す斜視図である。
【図６】スリッパの足先保持部を外方に折り返して足に装着した状態を示す要部断面図である。
【考案を実施するための形態】
【００１２】
以下、本考案を実施するための最良の形態を図面に基づいて具体的に説明する。
【００１３】
図１乃至図３は本考案の実施例を示す図であり、図１は本考案に係る実施例を示すスリッパの斜視図であり、図２はスリッパの使用状態を示す斜視図であり、図３はスリッパの使用状態を示す要部断面図である。
【００１４】
図１乃至図３において、１０はスリッパであり、前記スリッパ１０は、概略足型状に形成したスリッパ本体１１と前記スリッパ本体１１の前方上部に設けた甲被１２とを備えて構成されている。
【００１５】
前記スリッパ本体１１および前記甲被１２とは、一般的には合成樹脂板又は厚紙等を布帛等で被ったもので形成されており、前記甲被１２は、前記甲被１２の下端縁を前記スリッパ本体１１の前方部周縁に沿って縫合され固定されている。
【００１６】
図中１３は前記スリッパ本体１１と前記甲被１２との間に収納される足先保持部であり、前記足先保持部１３は全体を略円筒状の織布から形成されており、一端縁（環状部）を前記甲被１２の後端縁１２ａと前記後端縁１２ａの両端から前記スリッパ本体１１の後部周縁１１ａとにわたり縫合して固定されており、他端縁（環状部）を開放端として前記スリッパ本体１１と前記甲被１２との間に収納している。なお、前記足先保持部１３は靴下またはサポーターのように伸縮可能な素材で形成すると好適である。
【００１７】
以上の構成からなるスリッパ１０は、上記のように簡単な構成からなるので、安価に製造することがでる。
【００１８】
また、通常の使用時においては、図２及び図３に示すように、前記足先保持部１３は前記スリッパ本体１１と前記甲被１２との間に収納されているので、足先が前記足先保持部１３に密着するように包み込まれ、それにより、歩行する場合に足先がスリッパに保持されるので、歩行中にスリッパ１０が脱げることなく、また、スリッパ１０がバタつくことなく、早く歩行することができる。
【００１９】
図４はスリッパの足先保持部を外方に折り返した状態を示す斜視図であり、図５はスリッパの足先保持部を外方に折り返して足に装着した状態を示す斜視図であり、図６はスリッパの足先保持部を外方に折り返して足に装着した状態を示す要部断面図である。
【００２０】
他方、災害等の非常時の場合には、前記足先保持部１３は、図４乃至図６に示すように、外方に折り返すことが可能であるため、前記足先保持部１３を靴下を履く要領で足に装着することができ、前記スリッパ１０を前記足先保持部１３を介して足に確実に装着できるので、避難行動を迅速に行うことができると共に、折り返された前記足先保持部１３によって、外観上、いかにも靴下を装着して普通の靴を履いた場合のように見えるので、非常時においても体裁の良いものとなる。
【符号の説明】
【００２１】
１０    スリッパ
１１    スリッパ本体
１１ａ  スリッパ本体の後部周縁部
１２    甲被
１２ａ  甲被後端縁
１３    足先保持部
Ｆ      足
【図１】
0003177954.tif 000003
【図２】
0003177954.tif 000004
【図３】
0003177954.tif 000005
【図４】
0003177954.tif 000006
【図５】
0003177954.tif 000007
【図６】
0003177954.tif 000008